【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
画像のフレーム周波数より高い周波数で点灯と消灯を行う発光手段と、
前記発光手段からの光を画像データに基づき変調することで画像を表示する表示手段と、
画像の明るさの変化に応じて前記発光手段の発光量を制御する制御手段と、
を備え、
前記制御手段は、第１のフレーム画像の明るさに対する前記第１のフレーム画像の次の第２のフレーム画像の明るさの変化に基づき、前記発光手段の発光量を前記第２のフレーム画像に応じた発光量に変化させるタイミングを制御することを特徴とする画像表示装置。
【請求項２】
前記制御手段は、前記第１のフレーム画像の明るさに対し前記第２のフレーム画像の明るさが明るくなった場合、前記発光手段の発光量を前記第２のフレーム画像に応じた発光量に変化させるタイミングを、前記第２のフレーム画像が前記表示手段に表示されるタイミングに対し遅延させる請求項１に記載の画像表示装置。
【請求項３】
前記制御手段は、前記第２のフレーム画像を表示するフレーム期間内の少なくとも初めの１回の前記発光手段の点灯と消灯について、前記第１のフレーム画像の明るさに応じて決定した点灯期間と消灯期間を適用する請求項１又は２に記載の画像表示装置。
【請求項４】
前記制御手段は、前記第２のフレーム画像を表示するフレーム期間内の前記発光手段の点灯と消灯について、前記第１のフレーム画像の明るさに応じて決定した点灯期間と消灯期間を適用する請求項１又は２に記載の画像表示装置。
【請求項５】
前記制御手段は、前記第２のフレーム画像を表示するフレーム期間内の初めの点灯と消灯から所定回数の点灯と消灯について、第１のフレーム画像の明るさに応じて決定した点灯期間と消灯期間を適用する請求項１に記載の画像表示装置。
【請求項６】
前記所定回数は、画像データの変化に対する前記表示手段の光の変調の応答速度に応じて決められる請求項５に記載の画像表示装置。
【請求項７】
前記所定回数は、前記応答速度が遅いほど多い請求項６に記載の画像表示装置。
【請求項８】
前記所定回数は、前記応答速度と、前記発光手段の点灯と消灯の周波数と、に応じて決められる請求項６又は７に記載の画像表示装置。
【請求項９】
前記所定回数は、前記発光手段の点灯と消灯の周波数が高いほど多い請求項８に記載の画像表示装置。
【請求項１０】
前記発光手段が１フレーム期間に点灯と消灯を行う回数より前記所定回数の方が多い場合、前記制御手段は、前記第２のフレーム画像を表示するフレーム期間の後の前記発光手段の点灯と消灯についても、前記第１のフレーム画像の明るさに応じて決定した点灯期間と消灯期間を適用する請求項５〜９のいずれか１項に記載の画像表示装置。
【請求項１１】
前記制御手段は、前記第１のフレーム画像に比べて前記第２のフレーム画像が閾値以上明るい場合に前記発光手段の発光量の変化の遅延を行う請求項１〜１０のいずれか１項に記載の画像表示装置。
【請求項１２】
前記発光手段は、独立に発光量を制御可能な複数の制御ブロックからなり、
前記制御手段は、各制御ブロックに対応するフレーム画像内の画像領域の明るさに応じて、制御ブロック毎に前記発光手段の発光量の変化の遅延を行う請求項１〜１１のいずれか１項に記載の画像表示装置。
【請求項１３】
画像のフレーム周波数より高い周波数で点灯と消灯を行う発光手段と、
前記発光手段からの光を画像データに基づき変調することで画像を表示する表示手段と、
を備える画像表示装置の制御方法であって、
画像の明るさの変化に応じて前記発光手段の発光量を制御する制御工程を有し、
前記制御工程では、第１のフレーム画像の明るさに対する前記第１のフレーム画像の次の第２のフレーム画像の明るさの変化に基づき、前記発光手段の発光量を前記第２のフレーム画像に応じた発光量に変化させるタイミングを制御することを特徴とする画像表示装置の制御方法。
【請求項１４】
前記制御工程では、前記第１のフレーム画像の明るさに対し前記第２のフレーム画像の明るさが明るくなった場合、前記発光手段の発光量を前記第２のフレーム画像に応じた発光量に変化させるタイミングを、前記第２のフレーム画像が前記表示手段に表示されるタイミングに対し遅延させる請求項１３に記載の画像表示装置の制御方法。
【請求項１５】
前記制御工程では、前記第２のフレーム画像を表示するフレーム期間内の少なくとも初めの１回の前記発光手段の点灯と消灯について、前記第１のフレーム画像の明るさに応じて決定した点灯期間と消灯期間を適用する請求項１３又は１４に記載の画像表示装置の制御方法。
【請求項１６】
前記制御工程では、前記第２のフレーム画像を表示するフレーム期間内の前記発光手段の点灯と消灯について、前記第１のフレーム画像の明るさに応じて決定した点灯期間と消灯期間を適用する請求項１３又は１４に記載の画像表示装置の制御方法。
【請求項１７】
前記制御工程では、前記第２のフレーム画像を表示するフレーム期間内の初めの点灯と消灯から所定回数の点灯と消灯について、第１のフレーム画像の明るさに応じて決定した点灯期間と消灯期間を適用する請求項１３に記載の画像表示装置の制御方法。
【請求項１８】
前記所定回数は、画像データの変化に対する前記表示手段の光の変調の応答速度に応じて決められる請求項１７に記載の画像表示装置の制御方法。
【請求項１９】
前記所定回数は、前記応答速度が遅いほど多い請求項１８に記載の画像表示装置の制御方法。
【請求項２０】
前記所定回数は、前記応答速度と、前記発光手段の点灯と消灯の周波数と、に応じて決められる請求項１８又は１９に記載の画像表示装置の制御方法。
【請求項２１】
前記所定回数は、前記発光手段の点灯と消灯の周波数が高いほど多い請求項２０に記載の画像表示装置の制御方法。
【請求項２２】
前記発光手段が１フレーム期間に点灯と消灯を行う回数より前記所定回数の方が多い場合、前記制御工程では、前記第２のフレーム画像を表示するフレーム期間の後の前記発光手段の点灯と消灯についても、前記第１のフレーム画像の明るさに応じて決定した点灯期間と消灯期間を適用する請求項１７〜２１のいずれか１項に記載の画像表示装置の制御方法。
【請求項２３】
前記制御工程では、前記第１のフレーム画像に比べて前記第２のフレーム画像が閾値以上明るい場合に前記発光手段の発光量の変化の遅延を行う請求項１３〜２２のいずれか１項に記載の画像表示装置の制御方法。
【請求項２４】
前記発光手段は、独立に発光量を制御可能な複数の制御ブロックからなり、
前記制御工程では、各制御ブロックに対応するフレーム画像内の画像領域の明るさに応じて、制御ブロック毎に前記発光手段の発光量の変化の遅延を行う請求項１３〜２３のいずれか１項に記載の画像表示装置の制御方法。
【手続補正２】
【補正対象書類名】明細書
【補正対象項目名】０００６
【補正方法】変更
【補正の内容】
【０００６】
本発明は、画像のフレーム周波数より高い周波数で点灯と消灯を行う発光手段と、
前記発光手段からの光を画像データに基づき変調することで画像を表示する表示手段と、
画像の明るさの変化に応じて前記発光手段の発光量を制御する制御手段と、
を備え、
前記制御手段は、第１のフレーム画像の明るさに対する前記第１のフレーム画像の次の第２のフレーム画像の明るさの変化に基づき、前記発光手段の発光量を前記第２のフレーム画像に応じた発光量に変化させるタイミングを制御することを特徴とする画像表示装置である。
【手続補正３】
【補正対象書類名】明細書
【補正対象項目名】０００７
【補正方法】変更
【補正の内容】
【０００７】
本発明は、画像のフレーム周波数より高い周波数で点灯と消灯を行う発光手段と、
前記発光手段からの光を画像データに基づき変調することで画像を表示する表示手段と、
を備える画像表示装置の制御方法であって、
画像の明るさの変化に応じて前記発光手段の発光量を制御する制御工程を有し、
前記制御工程では、第１のフレーム画像の明るさに対する前記第１のフレーム画像の次の第２のフレーム画像の明るさの変化に基づき、前記発光手段の発光量を前記第２のフレーム画像に応じた発光量に変化させるタイミングを制御することを特徴とする画像表示装置の制御方法である。